(57)【特許請求の範囲】
【請求項１】
昇降路上部に取り付けられた第１返し車及び第２返し車と、
主ロープと、
を用いて巻上機を揚重するエレベータの据付方法であって、
前記主ロープの一端側から他端側にかけて、前記第１返し車、前記巻上機、前記第２返し車が順に位置するように、それぞれの滑車に前記主ロープを巻き掛け、前記主ロープの前記巻上機よりも前記一端側を支持体に留める巻き掛け工程と、
前記巻き掛け工程の後に行われ、前記主ロープの前記第２返し車よりも前記他端側を引っ張って、前記巻上機を揚重する巻上機揚重工程と、
を含むエレベータの据付方法。
【請求項２】
昇降路上部に取り付けられた返し車と、
主ロープと、
を用いて吊り車を有する昇降体を揚重するエレベータの据付方法であって、
前記主ロープの一端側から他端側にかけて、前記吊り車、前記返し車が順に位置するように、それぞれの滑車に前記主ロープを巻き掛け、前記主ロープの前記吊り車よりも前記一端側を前記吊り車よりも上方で支持体に留める巻き掛け工程と、
前記巻き掛け工程の後に行われ、前記主ロープの前記返し車よりも前記他端側を引っ張って、前記昇降体を揚重する昇降体揚重工程と、
を含むエレベータの据付方法。
【発明の詳細な説明】
【技術分野】
【０００１】
この発明はエレベータの据付方法に関するものである。
【背景技術】
【０００２】
従来の機械室レスエレベータの巻上機据付方法では、昇降路上部に設置されているかごレールのレールブラケットと該昇降路上部に設置されているカウンターレールのレールブラケット間に配設したプーリー支持枠に回転自在に組み込まれたプーリー、又は該昇降路上部に位置するかごレールを取付けるレールブラケットに回転自在に組み込まれたプーリー、あるいはカウンターレールの昇降路上端部に回転自在に組み込まれたプーリーに玉掛けワイヤロープを巻きかけるとともに、前記カウンターレールを昇降路壁に固定するレールブラケットに揚重機器を支持させ、前記玉掛けワイヤロープの一端部に巻上機を支持させ、前記玉掛けロープの他端部を前記揚重機器に連結し、該揚重機器を駆動して前記巻上機を該昇降路上部に吊り上げる（例えば、特許文献１参照）。【０００３】
上記した機械室レスエレベータの巻上機据付方法では、昇降路上部に設置されているかごレールのレールブラケットと該昇降路上部に設置されているカウンターレールのレールブラケット間に配設したプーリー支持枠に回転自在に組み込まれたプーリー、又は該昇降路上部に位置するかごレールを取付けるレールブラケットに回転自在に組み込まれたプーリー、あるいはカウンターレールの昇降路上端部に回転自在に組み込まれたプーリーに玉掛けワイヤロープを掛けることにより、巻上機の上方に揚重機器を取り付けなくてもよいので、巻上機の上方に揚重機器を取り付ける巻上機据付方法よりも、巻上機を昇降路のより高い位置に揚重することができる。
【先行技術文献】
【特許文献】
【０００４】
【特許文献１】特開２００１−１１４４８３号公報
【発明の概要】
【発明が解決しようとする課題】
【０００５】
しかしながら、上記した機械室レスエレベータの巻上機据付方法では、巻上機を揚重してから巻上機のシーブに主ロープを巻き掛けるので、巻上機が昇降路の天井、壁、又は他のエレベータの構成部品の近くに取り付けられると、巻上機の周囲の隙間が小さかったり、巻上機に特定の方向からしか近づけなかったりするため、巻上機のシーブに主ロープを巻き掛けるのが困難となってしまう。また、例えば吊り車を有するかご及びつり合いおもりのように、据付時に揚重してから滑車に主ロープを巻き掛けるエレベータの構成部品についても巻上機と同様の課題があった。【０００６】
本発明は、上記のような課題を解決するためになされたものであり、エレベータの構成部品の滑車に主ロープを容易に巻き掛けることができるエレベータの据付方法を得ることを目的とする。
【課題を解決するための手段】
【０００７】
本発明に係るエレベータの据付方法は、昇降路上部に取り付けられた第１返し車及び第２返し車と、主ロープと、を用いて巻上機を揚重するエレベータの据付方法であって、前記主ロープの一端側から他端側にかけて、前記第１返し車、前記巻上機、前記第２返し車が順に位置するように、それぞれの滑車に前記主ロープを巻き掛け、前記主ロープの前記巻上機よりも前記一端側を支持体に留める巻き掛け工程と、前記巻き掛け工程の後に行われ、前記主ロープの前記第２返し車よりも前記他端側を引っ張って、前記巻上機を揚重する巻上機揚重工程と、を含むエレベータの据付方法である。
【発明の効果】
【０００８】
本発明に係るエレベータの据付方法によれば、巻上機の滑車に主ロープを巻き掛けてから巻上機を揚重するため、巻上機の周囲に十分な作業領域を確保して、巻上機の滑車に主ロープを容易に掛けることができる。
【図面の簡単な説明】
【０００９】
【図１】この発明の実施の形態１によるエレベータの据付方法によって据え付けられたエレベータの縦断面図である。
【図２】図１にＡ−Ａで示された矢印の方向から見たエレベータの縦断面図である。
【図３】図２にＢ−Ｂで示された矢印の方向から見たエレベータの横断面図である。
【図４】この発明の実施の形態１によるエレベータの据付方法のフローチャートである。
【図５】図３にＣ−Ｃで示された矢印の方向から見たエレベータの据付方法の第１工程（図４のＳ１）を示す概略図である。
【図６】図３にＣ−Ｃで示された矢印の方向から見たエレベータの据付方法の第２工程（図４のＳ２）を示す概略図である。
【図７】図３にＣ−Ｃで示された矢印の方向から見たエレベータの据付方法の第３工程（図４のＳ３）を示す概略図である。
【図８】図３にＣ−Ｃで示された矢印の方向から見たエレベータの据付方法の第４工程（図４のＳ４）を示す概略図である。
【図９】図３にＣ−Ｃで示された矢印の方向から見たエレベータの据付方法の第５工程（図４のＳ５）を示す概略図である。
【図１０】図３にＣ−Ｃで示された矢印の方向から見たエレベータの据付方法の第６工程（図４のＳ６）を示す概略図である。
【図１１】図３にＣ−Ｃで示された矢印の方向から見たエレベータの据付方法の第７工程（図４のＳ７）を示す概略図である。
【図１２】図３にＣ−Ｃで示された矢印の方向から見たエレベータの据付方法の第８工程（図４のＳ８）を示す概略図である。
【発明を実施するための形態】
【００１０】
以下、本発明のエレベータの据付方法の好適な実施の形態につき、図面を用いて説明する。
【００１１】
実施の形態１．
図１は、本発明の実施の形態１によるエレベータの据付方法によって据え付けられたエレベータの縦断面図である。図２は、図１にＡ-Ａで示された矢印の方向から見たエレベータの縦断面図である。図３は、図１にＢ-Ｂで示された矢印の方向から見たエレベータの横断面図である。
【００１２】
図１から図３に示すように、本発明の実施の形態１によるエレベータの据付方法によって据え付けられたエレベータは、かご２、つり合いおもり３、かご用ガイドレール４、おもり用ガイドレール５、支持梁６、巻上機７、かご用返し車８、おもり用返し車９、かご用吊り車１０、おもり用吊り車１１、主ロープ１２、かご用ロープ端末留め具１３、おもり用ロープ端末留め具１４を備える。
【００１３】
かご用ガイドレール４及びおもり用ガイドレール５は、昇降路底部１ｂから昇降路１の上部まで立てられる。支持梁６は、昇降路１の上部に配置されて、かご用ガイドレール４及びおもり用ガイドレール５に取り付けられる。巻上機７は、支持梁６の下面に取り付けられる。かご用返し車８及びおもり用返し車９は、支持梁６の上面に取り付けられる。つまり、かご用返し車８の取付位置及びおもり用返し車９の取付位置は、巻上機７の取付位置よりも上方に位置する。かご用吊り車１０は、かご２の下部に取り付けられる。おもり用吊り車１１は、つり合いおもり３の上部に取り付けられる。
【００１４】
かご用ロープ端末留め具１３及びおもり用ロープ端末留め具１４は支持梁６に取り付けられる。主ロープ１２の片方の端部はかご用ロープ端末留め具１３に繋がれ、もう片方の端部はおもり用ロープ端末留め具１４に繋がれる。かご用ロープ端末留め具１３に繋がれる主ロープ１２の端部をかご端部１２ａ、おもり用ロープ端末留め具１４に繋がれる主ロープ１２の端部をおもり端部１２ｂとする。つまり、主ロープ１２のかご端部１２ａは、かご用ロープ端末留め具１３で支持梁６に留められ、主ロープ１２のおもり端部１２ｂは、おもり用ロープ端末留め具１４で支持梁６に留められる。なお、本発明の実施の形態１におけるおもり端部１２ｂ側が請求項１及び請求項２の一端側に該当し、本発明の実施の形態１におけるかご端部１２ａ側が請求項１及び請求項２の他端側に該当する。
【００１５】
主ロープ１２のおもり端部１２ｂ側からかご端部１２ａ側にかけて、おもり用吊り車１１、おもり用返し車９、巻上機７、かご用返し車８、かご用吊り車１０が順に位置するように、それぞれの滑車に主ロープ１２が巻き掛けられる。主ロープ１２は、かご用吊り車１０と巻上機７とおもり用吊り車１１のそれぞれの滑車に下側から巻き掛けられ、かご用返し車８とおもり用返し車９のそれぞれの滑車に上側から巻き掛けられている。つまり、主ロープ１２は、おもり端部１２ｂ側につり合いおもり３が吊り下げられ、かご端部１２ａ側にかご２が吊り下げられ、かご用返し車８と巻上機７とおもり用返し車９に支持されている。なお、本発明の実施の形態１におけるおもり用返し車９が請求項１の第１返し車及び請求項２の返し車に該当し、本発明の実施の形態１におけるかご用返し車８が請求項１の第２返し車に該当する。
【００１６】
この状態で巻上機７の滑車が回転することで、主ロープ１２が移動し、主ロープ１２の移動に基づいて、かご２が昇降し、かご２の昇降方向と逆方向につり合いおもり３が昇降する。かごは予め定められたかご昇降領域を昇降し、つり合いおもりはおもり昇降領域を昇降する。また、かご２のかご用吊り車１０はかご用返し車８及びかご用ロープ端末留め具１３よりも上方に上昇せず、つり合いおもり３のおもり用吊り車１１はおもり用返し車９及びおもり用ロープ端末留め具１４よりも上方に上昇しない。
【００１７】
次に、本発明の実施の形態１によるエレベータの据付方法につき、図面を用いて説明する。
【００１８】
図４は、本発明の実施の形態１によるエレベータの据付方法のフローチャートである。本発明の実施の形態１によるエレベータの据付方法は、図４にＳ１からＳ８で示される第１工程から第８工程で構成されるエレベータの据付方法である。
【００１９】
図５は、図３にＣ−Ｃで示された矢印の方向から見たエレベータの据付方法の第１工程（図４のＳ１）を示す概略図である。なお、第１工程の前に昇降路１の上部には支持梁６と、足場５１とが取り付けられ、昇降路頂部１ａにチェーンブロック５２が取り付けられている。また、足場５１は、昇降路１の上部にエレベータの構成機器を揚重するとき、揚重の妨げにならないように、図３に示されるかご２の水平投影面内に設置される。
【００２０】
第１工程では、チェーンブロック５２によってかご用返し車８及びおもり用返し車９を吊り上げ、図１〜図３に示すように、支持梁６の上面にかご用返し車８及びおもり用返し車９を取り付ける。
【００２１】
図６は、図３にＣ−Ｃで示された矢印の方向から見たエレベータの据付方法の第２工程（図４のＳ２）を示す概略図である。なお、本発明の実施の形態１の第２工程が請求項１の巻き掛け工程に該当する。
【００２２】
第２工程では、主ロープ１２のおもり端部１２ｂ側からかご端部１２ａ側にかけて、おもり用返し車９、巻上機７、かご用返し車８が順に位置するように、それぞれの滑車に主ロープ１２を巻き掛け、主ロープ１２の巻上機７よりもおもり端部１２ｂ側を支持梁６に留める。第２工程は、次のように行う。
【００２３】
支持梁６の下面よりも下方に巻上機７を置く。
【００２４】
主ロープ１２のかご端部１２ａ側をチェーンブロック５２で昇降路１の上部に吊り上げて、かご用返し車８の滑車に巻き掛ける。次に、主ロープ１２のかご用返し車８よりもおもり端部１２ｂ側を巻上機７の滑車に巻き掛け、主ロープ１２の巻上機７よりもおもり端部１２ｂ側をチェーンブロック５２で昇降路１の上部に吊り上げて、おもり用返し車９の滑車に巻き掛ける。
【００２５】
主ロープ１２の巻上機７よりもおもり端部１２ｂ側をロープ留め具５４で支持梁６に一時的に留める。ロープ留め具５４は、支持梁６及び主ロープ１２に容易に着脱可能であり、主ロープ１２を挟んで把持して、主ロープ１２を支持梁６に留める。なお、本発明の実施の形態１における支持梁６が請求項１の支持体に該当する。
【００２６】
図７は、図３にＣ−Ｃで示された矢印の方向から見たエレベータの据付方法の第３工程（図４のＳ３）を示す概略図である。なお、本発明の実施の形態１の第３工程が請求項１の巻上機揚重工程に該当する。
【００２７】
第３工程では、主ロープ１２のかご用返し車８よりもかご端部１２ａ側を引っ張って巻上機７を揚重する。第３工程は、次のように行う。
【００２８】
かご用返し車８よりも下方にウィンチ５３を設け、主ロープ１２のかご用返し車８よりもかご端部１２ａ側とウィンチ５３とを牽引ロープ５３ａで繋ぐ。牽引ロープ５３ａは、主ロープ１２よりも細く、軽く、かつ柔軟なロープであり、ウィンチ５３で牽引ロープ５３ａを巻き取ることができる。
【００２９】
ウィンチ５３で牽引ロープ５３ａを巻き取ることにより、主ロープ１２のかご用返し車８よりもかご端部１２ａ側を下方に引っ張る。主ロープ１２の巻上機７よりもおもり端部１２ｂ側がロープ留め具５４で支持梁６に留められているので、主ロープ１２のかご用返し車８よりもロープ留め具５４側がかご端部１２ａ側に移動して、主ロープ１２のかご用返し車８とロープ留め具５４との間の長さが短くなり、巻上機７が吊り上がる。これにより、巻上機７を支持梁６の下面まで吊り上げる。
【００３０】
図８は、図３にＣ−Ｃで示された矢印の方向から見たエレベータの据付方法の第４工程（図４のＳ４）を示す概略図である。
【００３１】
第４工程では、図１〜図３に示すように、支持梁６の下面に巻上機７を取り付ける。また、ロープ留め具５４を主ロープ１２及び支持梁６から取り外し、牽引ロープ５３ａを主ロープ１２から取り外す。
【００３２】
図９は、図３にＣ−Ｃで示された矢印の方向から見たエレベータの据付方法の第５工程（図４のＳ５）をす概略図である。なお、本発明の実施の形態１の第５工程が請求項２の巻き掛け工程に該当する。
【００３３】
第５工程では、主ロープ１２のおもり端部１２ｂ側からかご端部１２ａ側にかけて、おもり用吊り車１１、おもり用返し車９が順に位置するように、それぞれの滑車に主ロープ１２を巻き掛け、主ロープ１２のおもり用吊り車１１よりもおもり端部１２ｂ側をおもり用吊り車１１よりも上方で支持梁６に留める。なお、本発明の実施の形態１におけるおもり用吊り車１１が請求項２の吊り車に該当し、本発明の実施の形態１におけるつり合いおもり３が請求項２の昇降体に該当する。第５工程は、次のように行う。
【００３４】
おもり用吊り車１１が取り付けられたつり合いおもり３をおもり昇降領域の上端よりも下方に置く。
【００３５】
第３工程でおもり用返し車９に主ロープ１２を巻き掛けた。第５工程では、主ロープ１２のおもり用返し車９よりもおもり端部１２ｂ側をおもり用吊り車１１の滑車に巻き掛け、主ロープ１２のおもり端部１２ｂをチェーンブロック５２で昇降路１の上部に吊り上げ、主ロープ１２のおもり端部１２ｂをおもり用ロープ端末留め具１４に繋げ、図１〜図３に示すように、おもり用ロープ端末留め具１４を支持梁６に取り付けて、主ロープ１２のおもり端部１２ｂを支持梁６に留める。なお、本発明の実施の形態１における支持梁６が請求項２の支持体に該当する。
【００３６】
第４工程で主ロープ１２からロープ留め具５４及び牽引ロープ５３ａを取り外したので、もし主ロープ１２のおもり用返し車９からおもり端部１２ｂまでの長さが短く、おもり端部１２ｂが支持梁６に届かない場合でも、主ロープ１２のおもり用返し車９よりもおもり端部１２ｂ側を引っ張ることで主ロープ１２が移動して、主ロープ１２のおもり用返し車９よりもおもり端部１２ｂ側の長さを調整することができる。
【００３７】
図１０は、図３にＣ−Ｃで示された矢印の方向から見たエレベータの据付方法の第６工程（図４のＳ６）を示す概略図である。なお、本発明の実施の形態１の第６工程が請求項２の昇降体揚重工程に該当する。
【００３８】
第６工程では、主ロープ１２のかご用返し車８よりもかご端部１２ａ側を引っ張ってつり合いおもり３を揚重する。第６工程は、次のように行う。
【００３９】
主ロープ１２のかご用返し車８よりもかご端部１２ａ側とウィンチ５３とを牽引ロープ５３ａで繋ぐ。
【００４０】
ウィンチ５３で牽引ロープ５３ａを巻き取ることにより、主ロープ１２のかご用返し車８よりもかご端部１２ａ側を下方に引っ張る。主ロープ１２のおもり端部１２ｂはおもり用ロープ端末留め具１４で支持梁６に留められているので、主ロープ１２のおもり用返し車９よりもおもり端部１２ｂ側がかご端部１２ａ側に移動して、主ロープ１２のおもり用返し車９とおもり用ロープ端末留め具１４との間の長さが短くなり、つり合いおもり３が吊り上がる。そして、つり合いおもり３を昇降路１の上部まで吊り上げる。
【００４１】
図１１は、図３にＣ−Ｃで示された矢印の方向から見たエレベータの据付方法の第７工程（図４のＳ７）を示す概略図である。
【００４２】
第７工程では、主ロープ１２のおもり用吊り車１１よりもかご端部１２ａ側をロープ留め具５４で支持梁６に一時的に留めて、昇降路１の上部につり合いおもり３を保持する。また、牽引ロープ５３ａを主ロープ１２から取り外し、ウィンチ５３及び牽引ロープ５３ａを撤去する。
【００４３】
図１２は、図３にＣ−Ｃで示された矢印の方向から見たエレベータの据付方法の第８工程（図４のＳ８）を示す概略図である。
【００４４】
第８工程では、主ロープ１２のおもり端部１２ｂ側からかご端部１２ａ側にかけて、かご用返し車８、かご用吊り車１０が順に位置するように、それぞれの滑車に主ロープ１２を巻き掛け、主ロープ１２のかご用吊り車１０よりもかご端部１２ａ側をかご用吊り車１０よりも上方で支持梁６に留める。第８工程は、次のように行う。
【００４５】
かご用吊り車１０が取り付けられたかご２をかご昇降領域の上端よりも下方に置く。
【００４６】
第３工程でかご用返し車８に主ロープ１２を巻き掛けた。第８工程では、主ロープ１２のかご用返し車８よりもかご端部１２ａ側をかご用吊り車１０の滑車に巻き掛け、主ロープ１２のかご端部１２ａをチェーンブロック５２で昇降路１の上部に吊り上げ、主ロープ１２のかご端部１２ａをかご用ロープ端末留め具１３に繋げ、図１〜図３に示すように、かご用ロープ端末留め具１３を支持梁６に取り付けて、主ロープ１２のかご端部１２ａをかご用ロープ端末留め具１３で支持梁６に留める。
【００４７】
ロープ留め具５４を主ロープ１２及び支持梁６から取り外し、足場５１を昇降路１から撤去する。
【００４８】
上述のように第１工程から第８工程によりエレベータを据え付ける。
【００４９】
本発明の実施の形態１によるエレベータの据付方法によれば、巻上機７の滑車に主ロープ１２を巻き掛けてから、支持梁６とかご用返し車８とおもり用返し車９とを使用して巻上機７を揚重するので、巻上機７の滑車に主ロープ１２を容易に掛けることができる。
【００５０】
また、昇降路頂部１ａに取り付けるチェーンブロック５２は、かご用返し車８とおもり用返し車９と主ロープ１２とを揚重する。かご用返し車８とおもり用返し車９と主ロープ１２とは巻上機７より軽い。このため、従来、チェーンブロックを用いて巻上機を揚重する場合には定格荷重が巻上機の重量以上のチェーンブロックを利用していたが、本発明の実施の形態１では巻上機７をチェーンブロック５２で揚重しないため定格荷重が巻上機７の重量未満のチェーンブロック５２を使用でき、従来と比較して外形が小さくかつ質量が軽いチェーンブロック５２を使用することができる。
【００５１】
また、本発明の実施の形態１において、支持梁６とかご用返し車８とおもり用返し車９とは、本発明の実施の形態１によるエレベータの据付方法によって据え付けられるエレベータの運転に使用される機器である。従来の巻上機の揚重では、巻上機の揚重だけに使用される機器としてプーリー支持枠が必要であったが、本発明の実施の形態１ではプーリー支持枠は不要であり、据付費用及び据付工程の増加を抑えることができる。
【００５２】
さらに、巻上機７だけでなく、かご用吊り車１０を組み付けられたかご２及びおもり用吊り車１１を組み付けられたつり合いおもり３を巻上機７と同様に揚重することができるので、かご用吊り車１０の滑車及びおもり用吊り車１１の滑車に主ロープ１２を容易に掛けることができる。
【００５３】
また、巻上機７を主ロープ１２で吊り上げるときに、主ロープ１２をかご用返し車８の滑車に巻き掛けることで、ウィンチ５３を昇降路１の下部に設置することでができ、巻上機７を揚重するために昇降路頂部１ａにウィンチなどの揚重機器を設置しなくてよいので据付作業が容易になる。
【００５４】
また、巻上機７の滑車に主ロープ１２を巻き掛けて、主ロープ１２のおもり端部１２ｂ側を留め、かご端部１２ａ側を引っ張って巻上機７を吊り上げるので、巻上機７に玉掛けロープを固定して吊り上げるウィンチよりも定格荷重が小さく、外形が小さく、かつ質量が軽いウィンチ５３を使用することがてきる。
【００５５】
また、ウィンチ５３で主ロープ１２を引っ張るときに、主ロープ１２よりも細く、軽く、かつ柔軟な牽引ロープ５３ａを主ロープ１２に繋いで、牽引ロープ５３ａをウィンチ５３で巻き取ることにより、主ロープ１２をウィンチで巻き取るよりも小さなウィンチ５３を使用することができる。
【００５６】
また、主ロープ１２を一時的に留めるときに、かご用ロープ端末留め具１３及びおもり用ロープ端末留め具１４のように主ロープ１２の端部を留めるのではなく、ロープ留め具５４を使用して、主ロープ１２の中間部の任意の位置を留めるので、主ロープ１２を容易に留めることができる。
【００５７】
なお、本発明の実施の形態１では主ロープ１２のかご端部１２ａとおもり端部１２ｂは支持梁６に留められているが、これに限らない。例えば、かご用吊り車１０とおもり用吊り車１１が無く、主ロープ１２のかご端部１２ａがかご２に繋がれ、主ロープ１２のおもり端部１２ｂがつり合いおもり３に繋がれていても構わない。この場合においても、第６工程においてウィンチ５３で牽引ロープ５３ａを巻き取ることにより、主ロープ１２のおもり端部１２ｂが上方へ移動するため、おもり端部１２ｂに繋がれたつり合いおもり３も上方へ移動する。
【００５８】
なお、本発明の実施の形態１では、主ロープ１２のおもり端部１２ｂ側が本発明の請求項１及び請求項２の一端側に該当し、かご端部１２ａ側が本発明の請求項１及び請求項２の他端側に該当するとしたが、おもり端部１２ｂ側が本発明の請求項１及び請求項２の他端側に該当し、かご端部１２ａ側が本発明の請求項１及び請求項２の一端側に該当してもよい。例えば、第２工程において、主ロープ１２の巻上機７よりもかご端部１２ａ側をロープ留め具５４で支持梁６に留め、第３工程において、主ロープ１２のおもり端部１２ｂとウィンチ５３とを牽引ロープ５３ａで繋ぎ、ウィンチ５３で牽引ロープ５３ａを巻き取ることにより、主ロープ１２のおもり用返し車９よりもおもり端部１２ｂ側を下方に引っ張っても構わない。この場合においても主ロープ１２のおもり用返し車９とロープ留め具５４との間の長さが短くなり、巻上機７を吊り上げることができる。
【００５９】
なお、本発明の実施の形態１の第２工程を示す図６において、主ロープ１２のおもり用返し車９よりもおもり端部１２ｂ側をロープ留め具５４で支持梁６に留めているが、主ロープ１２の巻上機７とおもり用返し車９との間の部分をロープ留め具５４で支持梁６に留めてもよい。この場合、おもり用返し車９は巻上機７の揚重に用いる必要がなくなるため、巻上機７の揚重後におもり用返し車９を取り付けることも可能である。
【００６０】
また、巻上機７と支持梁６との間に昇降路に固定された支持部材を設け、主ロープ１２の巻上機７とおもり用返し車９との間の部分をロープ留め具５４で支持部材に留めてもよい。巻上機７を支持部材まで揚重した後、ロープ留め具５４を支持部材から取り外し、次に、主ロープ１２の巻上機７とおもり用返し車９との間の部分をロープ留め具５４で支持梁６に留めて、巻上機７を支持梁６の下面まで揚重する。この場合、主ロープ１２の巻上機７とロープ留め具５４との間の長さを短くでき、巻上機７の揺れが抑制されるので、巻上機７を容易に安定させて揚重することができる。
【００６１】
なお、本発明の実施の形態１では、支持梁６が本発明の支持体に該当するとしたが、これに限らない。支持体は、例えば、かご用ガイドレールなど昇降路に固定されているものであればよい。
【００６２】
なお、本発明の実施の形態１では、巻上機７の滑車に主ロープ１２を巻き掛けて巻上機７を揚重するとともに、おもり用吊り車１１の滑車に主ロープ１２を巻き掛けてつり合いおもり３を揚重しているが、これに限らず、巻上機７とつり合いおもり３の片方だけ、その滑車に主ロープ１２を巻き掛けて揚重してもよい。
【符号の説明】
【００６３】
１  昇降路、１ａ  昇降路頂部、１ｂ  昇降路底部、２  かご、３  つり合いおもり、４  かご用ガイドレール、５  おもり用ガイドレール、６  支持梁、７  巻上機、８  かご用返し車、９  おもり用返し車、１０  かご用吊り車、１１  おもり用吊り車、１２  主ロープ、１２ａ  主ロープ１２のかご端部、１２ｂ  主ロープ１２のおもり端部、１３  かご用ロープ端末留め具、１４  おもり用ロープ端末留め具、５１  足場、５２  チェーンブロック、５３  ウィンチ、５３ａ  牽引ロープ、５４  ロープ留め具。
【図１】
0006611965.tif 000002
【図２】
0006611965.tif 000003
【図３】
0006611965.tif 000004
【図４】
0006611965.tif 000005
【図５】
0006611965.tif 000006
【図６】
0006611965.tif 000007
【図７】
0006611965.tif 000008
【図８】
0006611965.tif 000009
【図９】
0006611965.tif 000010
【図１０】
0006611965.tif 000011
【図１１】
0006611965.tif 000012
【図１２】
0006611965.tif 000013